(57)【要約】【課題】多軸型の地盤攪拌装置を離間型とする場合においても、離間部分が攪拌されず未改良になるといったおそれのない簡易な地盤攪拌装置を提供する。【解決手段】地盤攪拌装置１に、軸心回りに回転する複数の掘削軸１０と、複数の掘削軸１０を連結する連結部材５２と、連結部材５２から下方へ突出する下側補助部材とが備わる。下側補助部材は、地盤切込部８１と地盤切込部８１及び連結部材５２の間に介在された地盤拡散部８２とを有する。地盤切込部８１は、先端縁が連結部材５２の延在方向と直交する方向に延在する。地盤拡散部８２は、連結部材５２の延在方向に関する幅が地盤切込部８１から連結部材５２に向かうに従って広がっている。【選択図】図１
2018204171.tif 000002
【特許請求の範囲】
【請求項１】
軸心回りに回転する複数の掘削軸と、この複数の掘削軸を連結する連結部材と、この連結部材から下方へ突出する下側補助部材とが備わり、
この下側補助部材は、地盤切込部と、この地盤切込部及び前記連結部材の間に介在された地盤拡散部とを有し、
前記地盤切込部は、先端縁が前記連結部材の延在方向と直交する方向に延在し、
前記地盤拡散部は、前記連結部材の延在方向に関する幅が前記地盤切込部から前記連結部材に向かうに従って広がっている、
ことを特徴とする地盤攪拌装置。
【請求項２】
前記掘削軸に、前記連結部材の下方に位置する第１の攪拌翼が備わり、
この第１の攪拌翼の側方に至るまで前記下側補助部材が突出している、
請求項１に記載の地盤攪拌装置。
【請求項３】
前記連結部材として上側連結部材及び下側連結部材が備わり、
前記掘削軸に、前記上側連結部材及び前記下側連結部材の間に位置する第２の攪拌翼が備わり、
前記下側連結部材から下方へ前記下側補助部材が突出し、
前記上側連結部材及び前記下側連結部材を接続する中央補助部材が備わり、
この中央補助部材は、前記連結部材の延在方向に関する幅が上下方向中央部から上下方向両端部に向かうに従って広がっている、
請求項１又は請求項２に記載の地盤攪拌装置。
【請求項４】
前記中央補助部材は、円柱状の部材がＸ字状に組まれてトラス構造とされている、
請求項３に記載の地盤攪拌装置。
【請求項５】
前記第２の攪拌翼は、板状とされており、先方側となる部位が後方側となる部位よりも下方に位置する傾斜が付けられ、かつ外方に向かうに従って回転方向の後方に屈曲する屈曲形状とされている、
請求項３又は請求項４に記載の地盤攪拌装置。
【請求項６】
前記上側連結部材に、上方へ突出する上側補助部材が備わり、
この上側補助部材は、先端縁が前記連結部材の延在方向に延在し、かつ前記連結部材の延在方向に直交する方向に関する幅が前記先端縁から前記上側連結部材に向かうに従って広がっている、
請求項３〜５のいずれか１項に記載の地盤攪拌装置。
【発明の詳細な説明】
【技術分野】
【０００１】
本発明は、地盤攪拌装置に関するものである。
【背景技術】
【０００２】
従来から、地盤中に固化剤を吐出し、攪拌して地盤の性状を改良する地盤改良工法が広く知られている。この地盤改良工法には、地盤と固化剤とを攪拌混合する地盤攪拌装置が用いられている。この地盤攪拌装置は、例えば、軸心回りに回転する掘削軸と、この掘削軸の先端部から外方に延在する掘削翼と、この掘削翼の上方において掘削軸から外方に延在する攪拌翼とを主に有する。この地盤攪拌装置を用いて地盤を改良するにあたっては、掘削軸を軸心回りに回転させながら地盤に貫入し、掘削軸の先端部に備わる掘削翼によって地盤を柱状に掘削する。また、この掘削翼によって掘削された地盤（土砂）には、掘削軸の先端部等からセメントミルク等の固化剤を吐出する。この固化剤は、掘削翼の上方に備わる攪拌翼によって土砂と攪拌混合され、固化剤の硬化に伴って柱状の改良地盤（改良体）が形成される。
【０００３】
また、現在、地盤攪拌装置としては、複数の掘削軸が備わる多軸型の地盤攪拌装置が存在する。この多軸型の地盤攪拌装置は、軸間ピッチの違いに基づいて、相互に隣接する改良体同士が接することになる接円型と、相互に隣接する改良体同士が一部重なることになるラップ型と、相互に隣接する改良体同士が離間することになる離間型とに分類される。もっとも、現在の実施工は、接円型又はラップ型で行われるのが一般的であり、離間型で行われることはほとんどない。これは、次の理由による。
【０００４】
まず、多軸型の地盤攪拌装置において、離間型による場合は、離間部分が攪拌されず、未改良になる可能性がある。また、多軸型の地盤攪拌装置においては、削孔時に軸ブレが生じないように、複数の掘削軸が連結部材（いわゆる連結バンド）で連結される。しかるに、この連結部材は、離間部分に貫入されることになるため、大きな貫入抵抗が生じる原因となる。この点、これらの問題を解決するにあたっては、特許文献１の提案を流用し、例えば、連結部材に固有の掘削翼、あるいは攪拌翼を備え付け、離間部分における掘削・攪拌の不十分さを補うということが考えられる。しかしながら、固有の掘削翼、あるいは攪拌翼を備え付けるとすると、地盤攪拌装置が極めて複雑なものになってしまう。
【先行技術文献】
【特許文献】
【０００５】
【特許文献１】特開平７−３７７４号公報
【発明の概要】
【発明が解決しようとする課題】
【０００６】
本発明が解決しようとする主たる課題は、多軸型の地盤攪拌装置を離間型とする場合においても、離間部分が攪拌されず未改良になるといったおそれのない簡易な地盤攪拌装置を提供することにある。
【課題を解決するための手段】
【０００７】
上記課題を解決するための手段は、
軸心回りに回転する複数の掘削軸と、この複数の掘削軸を連結する連結部材と、この連結部材から下方へ突出する下側補助部材とが備わり、
この下側補助部材は、地盤切込部と、この地盤切込部及び前記連結部材の間に介在された地盤拡散部とを有し、
前記地盤切込部は、先端縁が前記連結部材の延在方向と直交する方向に延在し、
前記地盤拡散部は、前記連結部材の延在方向に関する幅が前記地盤切込部から前記連結部材に向かうに従って広がっている、
ことを特徴とする地盤攪拌装置である。
【発明の効果】
【０００８】
本発明によると、多軸型の地盤攪拌装置を離間型とする場合においても、離間部分が攪拌されず未改良になるといったおそれのない簡易な地盤攪拌装置となる。
【図面の簡単な説明】
【０００９】
【図１】地盤攪拌装置の正面図である。
【図２】地盤攪拌装置の側面図である。
【図３】（１）は図２のＸ−Ｘ線矢視図、（２）は図２のＹ−Ｙ線矢視図である。
【図４】補助部材の側面図である。
【図５】地盤（土砂）の動きを示す説明図である。
【発明を実施するための形態】
【００１０】
次に、発明を実施するための形態を説明する。なお、本形態は、本発明の一例である。本発明は、本形態の範囲に限定されない。
【００１１】
（掘削軸）
図１及び図２に示すように、本形態の地盤攪拌装置１は、複数の（図示例では２本の）掘削軸１０を有する多軸型の地盤攪拌装置である。掘削軸１０は、図示しないパワースイベル等から動力を受けて、上下方向に移動し、また軸心回りに回転する。相互に隣接する掘削軸１０は、相互に逆方向に回転する。
【００１２】
（掘削刃）
掘削軸１０の先端部には、一方掘削刃３１ａ及び他方掘削刃３１ｂからなる掘削刃３１が備えられている。一方掘削刃３１ａ及び他方掘削刃３１ｂは、掘削軸１０を中心とする半螺旋形状になっている。一方掘削刃３１ａ及び他方掘削刃３１ｂは、掘削軸１０を中心として点対称となるように配置されている。一方掘削刃３１ａ及び他方掘削刃３１ｂによって、地盤Ｇが掘削される。
【００１３】
一方掘削刃３１ａ及び他方掘削刃３１ｂの下端部には、それぞれ下方に突出する掘削ビット３１ｘが複数本（図示例では各３本）備えられている。掘削ビッド３１ｘによって、地盤Ｇの掘削が円滑・迅速に行われる。
【００１４】
（掘削翼）
一方掘削刃３１ａ及び他方掘削刃３１ｂの上端部近傍の掘削軸１０には、一方掘削翼３５ａ及び他方掘削翼３５ｂからなる掘削翼３５が備えられている。一方掘削翼３５ａ及び他方掘削翼３５ｂは、それぞれ掘削軸１０の外周面１０ａから外方へ延在する板状とされている。一方掘削翼３５ａ及び他方掘削翼３５ｂは、それぞれ掘削軸１０を中心として点対称となるように配置されている。一方掘削翼３５ａ及び他方掘削翼３５ｂによって、地盤Ｇが掘削されると伴に攪拌される。
【００１５】
一方掘削翼３５ａ及び他方掘削翼３５ｂには、貫入時の回転方向（回転Ａ）を基準にすると、先方側となる部位（下側縁部）が後方側となる部位（上側縁部）よりも下方に位置する所定角度の傾斜が、例えば４０〜５０°の傾斜が付けられている。この傾斜によって、例えば、貫入時における地盤攪拌装置１の推進力が得られる。
【００１６】
一方掘削翼３５ａ及び他方掘削翼３５ｂの遠位側の下側縁部には、それぞれ一方掘削翼３５ａ及び他方掘削翼３５ｂの傾斜に沿って突出する掘削ビット３５ｘが複数本（図示例では各３本）設けられている。この掘削ビッド３５ｘによって、地盤Ｇの掘削が円滑・迅速に行われる。
【００１７】
一方掘削翼３５ａ及び他方掘削翼３５ｂは、その下側縁部が一方掘削刃３１ａ及び他方掘削刃３１ｂの下端縁部と平行となるように配置されている。ただし、一方掘削翼３５ａ及び他方掘削翼３５ｂは、一方掘削刃３１ａ及び他方掘削刃３１ｂよりも外方まで延在している。
【００１８】
（直線攪拌翼）
一方掘削翼３５ａ及び他方掘削翼３５ｂよりも上方の掘削軸１０には、一方直線攪拌翼４１ａ及び他方直線攪拌翼４１ｂからなる直線（ストレート）攪拌翼４１が設けられている。一方直線攪拌翼４１ａ及び他方直線攪拌翼４１ｂは、それぞれ掘削軸１０の外周面１０ａから外方へ延在する板状とされている。一方直線攪拌翼４１ａ及び他方直線攪拌翼４１ｂは、掘削軸１０を中心として点対称となるように配置されている。一方直線攪拌翼４１ａ及び他方直線攪拌翼４１ｂによって、掘削刃３１や掘削翼３５によって掘削された地盤（土砂）Ｇが攪拌される。
【００１９】
一方直線攪拌翼４１ａ及び他方直線攪拌翼４１ｂも、一方掘削翼３５ａや他方掘削翼３５ｂと同様に傾斜が付けられている。具体的には、貫入時の回転方向（回転Ａ）を基準にすると、先方側となる部位（下側縁部）が後方側となる部位（上側縁部）よりも下方に位置する所定角度の傾斜が、例えば４０〜５０°の傾斜が付けられている。この傾斜によって、例えば、貫入時における地盤攪拌装置１の推進力が得られる。
【００２０】
一方直線攪拌翼４１ａ及び他方直線攪拌翼４１ｂは、その下側縁部が一方掘削翼３５ａ及び他方掘削翼３５ｂの下側縁部と平行とならないように、例えば、平面視で３０〜６０°の角度をもって交差するように配置されている。また、一方直線攪拌翼４１ａ及び他方直線攪拌翼４１ｂは、一方掘削翼３５ａ及び他方掘削翼３５ｂよりも若干内方まで延在している。
【００２１】
一方直線攪拌翼４１ａ及び他方直線攪拌翼４１ｂの下表面の掘削軸１０側には、それぞれ下方へ突出し、かつ一方直線攪拌翼４１ａ及び他方直線攪拌翼４１ｂの延在方向に沿う断面略方形状の凸角材４１ｘが設けられている。この凸角材４１ｘによって、地盤攪拌装置１を地盤Ｇに貫入する際の抵抗が低減される。
【００２２】
（下側せん断板）
一方直線攪拌翼４１ａ及び他方直線攪拌翼４１ｂよりも上方の掘削軸１０には、下側せん断板５１が設けられている。下側せん断板５１は、一方下側せん断板５１ａ、他方下側せん断板５１ｂ、及び下側連結部材５２からなる。一方下側せん断板５１ａは、一方の掘削軸１０から外方へ延在する板状とされている。他方下側せん断板５１ｂは、他方の掘削軸１０から外方へ延在する板状とされている。下側連結部材５２は、一対の掘削軸１０を連結する部材である。一方下側せん断板５１ａ、他方下側せん断板５１ｂ、及び下側連結部材５２は、直線状に並んでいる。
【００２３】
一方下側せん断板５１ａ及び他方下側せん断板５１ｂには、一方直線攪拌翼４１ａや他方直線攪拌翼４１ｂのような傾斜が付けられていない。一方下側せん断板５１ａ及び他方下側せん断板５１ｂは、両表面が回転方向を臨んでいる。一方下側せん断板５１ａ及び他方下側せん断板５１ｂは、掘削軸１０の外周面１０ａに固定されておらず、回転自在とされている。詳細には、掘削軸１０の外周面１０ａ上に軸心回りに回転自在とされた筒体５１ｃが設けられており、この筒体５１ｃの外周面に一方下側せん断板５１ａ及び他方下側せん断板５１ｂが固定されている。筒体５１ｃは、掘削軸１０の外周面１０ａから突出する一対のフランジ５１ｄ，５１ｄによって軸方向への移動が阻止されている。このように一方下側せん断板５１ａ及び他方下側せん断板５１ｂが回転自在とされていることによって、掘削された地盤Ｇが緩やかにせん断され、軸方向に関する全ての部位で一体的に共回りするのが緩やかに防止される。
【００２４】
（下側攪拌翼・上側攪拌翼）
下側せん断板５１よりも上方の掘削軸１０には、一方下側攪拌翼２１ａ及び他方下側攪拌翼２１ｂからなる下側攪拌翼２１が設けられている。下側攪拌翼２１よりも上方の掘削軸１０には、一方上側攪拌翼２５ａ及び他方上側攪拌翼２５ｂからなる上側攪拌翼２５が設けられている。下側攪拌翼２１及び上側攪拌翼２５は、下側攪拌翼２１が回転方向の一方に曲り、上側攪拌翼２５が回転方向の他方に曲がるという点で相違する。しかしながら、両攪拌翼２１，２５は、基本的には同一の構造とされている。そこで、以下では、下側攪拌翼２１を中心に説明し、上側攪拌翼２５については補足的に説明する。
【００２５】
一方下側攪拌翼２１ａ及び他方下側攪拌翼２１ｂは、図３の（２）に示すように、掘削軸１０の外周面１０ａから外方へ延在する。一方下側攪拌翼２１ａ及び他方下側攪拌翼２１ｂは、掘削軸１０を中心として点対称となるように配置されている。一方下側攪拌翼２１ａ及び他方下側攪拌翼２１ｂは板状であり、一方掘削翼３５ａや他方掘削翼３５ｂ等と同様に傾斜が付けられている。詳細には、貫入時の回転方向（回転Ａ）を基準にすると、先方側となる部位（下側縁部）が後方側となる部位（上側縁部）よりも下方に位置する所定角度の傾斜が、例えば４０〜５０°の傾斜が付けられている。この傾斜によって、例えば、貫入時における地盤攪拌装置１の推進力が得られる。一方下側攪拌翼２１ａ及び他方下側攪拌翼２１ｂによって、掘削刃３１や掘削翼３５によって掘削された地盤Ｇ等が攪拌される。
【００２６】
一方下側攪拌翼２１ａ及び他方下側攪拌翼２１ｂは、外方に向かうに従って回転方向の一方（後方）に曲がる形状とされている。したがって、掘削された地盤Ｇ等の払い出し機能が発揮され、径方向に関する攪拌ムラが確実に防止される。ここで「曲がる」とは、湾曲していることのほか、１箇所又は２箇所以上の複数箇所において屈曲していること、湾曲及び屈曲が組み合わさっていることをも含む概念である。ただし、一方下側攪拌翼２１ａ及び他方下側攪拌翼２１ｂは、屈曲形状である方が好ましい。図３に示す例では、攪拌翼２１ａ，２１ｂ，２５ａ，２５ｂがそれぞれ２か所で屈曲している（屈曲部を符号２１ｐで示している。）。
【００２７】
一方上側攪拌翼２５ａ及び他方上側攪拌翼２５ｂは、一方下側攪拌翼２１ａ及び他方下側攪拌翼２１ｂと基本的に同一の構造とされている。ただし、図３の（１）に示すように、一方下側攪拌翼２１ａ及び他方下側攪拌翼２１ｂとは異なる方向（他方）に曲がるという点で相違している。上下に位置する下側攪拌翼２１及び上側攪拌翼２５が相互に異なる方向に曲がると、「一方」が払い出し機能を発揮する際に「他方」が掻き集め機能を発揮する。したがって、掘削された地盤Ｇ等の径方向への攪拌性能が向上する。
【００２８】
一方上側攪拌翼２５ａ及び他方上側攪拌翼２５ｂ並びに一方下側攪拌翼２１ａ及び他方下側攪拌翼２１ｂは、掘削軸１０から同方向に延在するように配置することもできる。ただし、異なる方向に延在するように配置するのが好ましく、図示例のように直交方向に延在するように配置するのがより好ましい。
【００２９】
（上側せん断板）
下側攪拌翼２１と上側攪拌翼２５と間の掘削軸１０には、上側せん断板５５が設けられている。上側せん断板５５は、前述した下側せん断板５１と同様の構造とされている。具体的には、上側せん断板５５は、一方上側せん断板５５ａ、他方上側せん断板５５ｂ、及び上側連結部材５３からなる。一方上側せん断板５５ａは、一方の掘削軸１０から外方へ延在する板状とされている。他方上側せん断板５５ｂは、他方の掘削軸１０から外方へ延在する板状とされている。上側連結部材５３は、一対の掘削軸１０を連結している。一方上側側せん断板５５ａ、他方上側せん断板５５ｂ、及び下側連結部材５２は、直線状に並んでいる。上側連結部材５３は、下側連結部材５２とで地盤攪拌装置１の連結部材を構成している。上側せん断板５５によって、掘削された地盤Ｇが緩やかにせん断され、軸方向に関する全ての部位で一体的に共回りするのが緩やかに防止される。
【００３０】
（第２の直線攪拌翼）
上側せん断板５５よりも上方の掘削軸１０には、第２の一方直線攪拌翼４５ａ及び第２の他方直線攪拌翼４５ｂからなる第２の直線（ストレート）攪拌翼４５が設けられている。この第２の一方直線攪拌翼４５ａ及び第２の他方直線攪拌翼４５ｂも、前述した（第１の）一方直線攪拌翼４１ａ及び他方直線攪拌翼４１ｂと同様の構造等とされている。第２の一方直線攪拌翼４５ａ及び第２の他方直線攪拌翼４５ｂによって掘削刃３１や掘削翼３５によって掘削された地盤Ｇ等が攪拌される。なお、符号４５ｘは、凸角材である。
【００３１】
（軸ブレ防止ピン）
掘削軸１０の先端面には、先方（下方）に向かって突出する軸ブレ防止ピン７０が備えられている。本形態の地盤攪拌装置１は、下側攪拌翼２１や上側攪拌翼２５によって掘削された地盤Ｇ（土砂）を径方向にも攪拌する構成とされている。したがって、特に掘削軸１０の貫入時においては攪拌に伴って軸ブレが生じる可能性がある。しかしながら、本形態の地盤攪拌装置１においては、軸ブレ防止ピン７０が掘削されていない地盤Ｇに突き刺さった状態で掘削や攪拌が行われることになるため、軸ブレが防止される。
【００３２】
（補助部材）
本形態の地盤攪拌装置１においては、一対のせん断板５１，５５に補助部材８０が備えられている。補助部材８０は、図１及び図４に示すように、下側補助部材（８１，８２）、中央補助部材８３、及び上側補助部材８４から主になる。
【００３３】
下側補助部材（８１，８２）は、下側連結部材５２から下方へ突出している。下側補助部材（８１，８２）は、地盤切込部８１及び地盤拡散部８２から主になる。
【００３４】
地盤切込部８１は、先端縁（下端縁）が下側連結部材５２の延在方向と直交する方向（図４には、単に「直交方向」と示している。）に延在している。地盤Ｇに地盤攪拌装置１を貫入するに際しては、特に離間型の地盤攪拌装置１を貫入するに際しては、地盤Ｇから連結部材５２，５３に大きな負荷がかかる。しかしながら、本形態の地盤攪拌装置１においては、当該負荷が地盤切込部８１によって大きく低減される。地盤切込部８１は、例えば、バックホウで使用する市販の爪などで構成することができる。本形態においては、図４に示すように、バックホウ用の爪を先端縁が直列になるように２つ備えることで地盤切込部８１を構成している。
【００３５】
地盤拡散部８２は、地盤切込部８１と下側連結部材５２との間に介在されている。地盤拡散部８２は、下側連結部材５２の延在方向に関する幅が地盤切込部８１から下側連結部材５２に向かうに従って広がるように構成されている。このようにしてなる本形態の下側補助部材（８１，８２）によると、図５の（１）に示すように、地盤切込部８１によって切り込まれた地盤Ｇ（土砂）が地盤拡散部８２に沿って上昇する過程で掘削軸１０に向かって拡散することになる。したがって、離間型の地盤攪拌装置１においても、離間部分が攪拌されず未改良になるといったおそれがない。
【００３６】
ただし、本形態によると、離間部分の攪拌をより効果的に行うことができる。
すなわち、まず、前提として、掘削軸１０に、下側連結部材５２の下方に位置する第１の攪拌翼を、本形態では直線攪拌翼４１を備える。そして、下側補助部材（８１，８２）を、第１の攪拌翼（直線攪拌翼４１）の側方に至るまで突出するものとする。この形態によると、直線攪拌翼４１によって攪拌された地盤Ｇ（土砂）が下側補助部材（８１，８２）に向かって拡散され、この拡散された土砂が地盤切込部８１によって切り込まれた土砂と共に地盤拡散部８２に沿って上昇し、更に掘削軸１０に向かって拡散することになる。したがって、地盤（土砂）がより強く拡散されることになる。
【００３７】
次に、中央補助部材８３について説明する。中央補助部材８３は、上側連結部材５３と下側連結部材５２とを接続する部材である。中央補助部材８３によって上側連結部材５３及び下側連結部材５２が一体化され、連結部材５２，５３の強度が増す。結果、掘削軸１０の軸ズレがより効果的に防止される。
【００３８】
本形態の中央補助部材８３は、離間部分における地盤Ｇ（土砂）の攪拌効率をより向上させるために、次のような構成とされている。
まず、前提として、掘削軸１０に、上側連結部材５３及び下側連結部材５２の間に位置する第２の攪拌翼が、本形態では下側攪拌翼２１が備えられている。そして、中央補助部材８３は、連結部材５２，５３の延在方向に関する幅が上下方向中央部から上下方向両端部（連結部材５２，５２）に向かうに従って広がるものとされている。この形態によると、図５の（２）に示すように、下側攪拌翼２１によって払い出された地盤Ｇ（土砂）が中央補助部材８３の両側面に沿って連結部材５２，５３に向かい、更にこの過程で掘削軸１０に向かって拡散される。したがって、離間部分における地盤Ｇ（土砂）の攪拌が効果的に行われることになる。この点、以上のメカニズムから明らかなように、本形態においては、下側攪拌翼２１として地盤Ｇの払出し機能を有する湾曲型、あるいは屈曲型の攪拌翼を採用するのが好ましい。
【００３９】
以上のように中央補助部材８３を構成するにあたっては、円柱状の部材８３ａ，８３ｂを正面視Ｘ字状に組み、いわゆるトラス構造（三角形の集合形式に組み立てた構造）とするのが好ましい。この形態によれば、上記した地盤Ｇ（土砂）の効果的な攪拌効果が得られる。加えて、中央補助部材８３の強度が増し、結果、掘削軸１０の軸ズレがより効果的に防止される。
【００４０】
次に、上側補助部材８４について説明する。上側補助部材８４は、上側連結部材５３から上方へ突出している。上側補助部材８４は、図１に示すように、先端縁（上端縁）が連結部材５２，５３の延在方向に延在し、かつ図４に示すように、連結部材５２，５３の延在方向に直交する方向に関する幅が先端縁から上側連結部材５３に向かうに従って広がるように構成されている。このような上側補助部材８４が存在すると、地盤攪拌装置１を地盤Ｇから引き抜く際の連結部材５２，５３による抵抗（負荷）が抑制（低減）される。
【産業上の利用可能性】
【００４１】
本発明は、地盤改良工法等に用いられる地盤攪拌装置として利用可能である。
【符号の説明】
【００４２】
１…地盤攪拌装置、１０…掘削軸、１０ａ…外周面、２１…下側攪拌翼、２１ａ…一方下側攪拌翼、２１ｂ…他方下側攪拌翼、２５…上側攪拌翼、２５ａ…一方上側攪拌翼、２５ｂ…他方上側攪拌翼、３１…掘削刃、３１ａ…一方掘削刃、３１ｂ…他方掘削刃、３１ｘ…掘削ビット、３５…掘削翼、３５ａ…一方掘削翼、３５ｂ…他方掘削翼、３５ｘ…掘削ビット、４１…直線（ストレート）攪拌翼、４１ａ…一方直線攪拌翼、４１ｂ…他方直線攪拌翼、４１ｘ…凸角材、４５…第２の直線（ストレート）攪拌翼、４５ａ…第２の一方直線攪拌翼、４５ｂ…第２の他方直線攪拌翼、４５ｘ…凸角材、５１…下側せん断板、５１ａ…一方下側せん断板、５１ｂ…他方下側せん断板、５１ｃ…筒体、５１ｄ…フランジ、５２…下側連結部材、５３…上側連結部材、５５…上側せん断板、５５ａ…一方上側せん断板、５５ｂ…他方上側せん断板、７０…軸ブレ防止ピン、Ｇ…地盤。
【図１】
2018204171.tif 000003
【図２】
2018204171.tif 000004
【図３】
2018204171.tif 000005
【図４】
2018204171.tif 000006
【図５】
2018204171.tif 000007